(57)【要約】【課題】  組立前は１枚のシート体で嵩張らず、組立後は立体的な表示スタンドとその表示シートとなるディスプレイ装置を安価に提供する。【解決手段】  切断線Ａに沿って２つのシート片に分離し、一方を卓上型の表示スタンド２０とし、他方を表示スタンド３０の表示面に沿って保持される表示シート３０とするとともに、表示スタンド２０に表示シート３０を保持するための保持手段を設ける。【選択図】  図７
2006003478.tif 000002
【特許請求の範囲】
【請求項１】
切断線に沿って少なくとも２つのシート片に分離可能なシート体を有し、上記一方のシート片には同シート片を立体三角形状の表示スタンドに組み立てるための折り線が設けられており、上記他方のシート片には上記表示スタンドの表示面に沿って保持される少なくとも１枚の表示シートが含まれ、上記表示スタンドには上記表示シートを上記表示面に保持するための保持手段が設けられていることを特徴とする簡易表示具。
【請求項２】
上記表示スタンドは、被設置面に載置される底板と、上記底板の一端側に第１折り線を介して折り畳み可能に連設された表示板と、上記底板の他端側に第２折り線を介して折り畳み可能に連設された背板とを含み、上記表示板と上記背板とが所定の係止手段により係止されることを特徴とする請求項１に記載の簡易表示具。
【請求項３】
上記係止手段は、上記表示板に形成された係止孔と、上記背板の自由端側またはその一部に上記係止孔に対して差し込み可能に形成された係止片とからなることを特徴とする請求項２に記載の簡易表示具。
【請求項４】
上記保持手段は上記係止片からなることを特徴とする請求項１，２または３に記載の簡易表示具。
【請求項５】
上記他方のシート片には、複数枚の上記表示シートが切断線に沿って分離可能に設けられていることを特徴とする請求項１〜４のいずれか１項に記載の簡易表示具。
【請求項６】
上記各表示シートの一部には、上記各表示シート同士が重なり合ったときに上記各シートを判別するためのインデックス部が設けられていることを特徴とする請求項５に記載の簡易表示具。
【請求項７】
上記表示スタンドの一部には、上記表示スタンドを壁などの被吊下面に対して吊り下げた状態で保持するための吊下孔が設けられていることを特徴とする請求項１〜６のいずれか１項に記載の簡易表示具。
【請求項８】
上記請求項１ないし７のいずれか１項に記載の簡易表示具を備えていることを特徴とする印刷物。
【発明の詳細な説明】
【技術分野】
【０００１】
本発明は、机の上などに置いて使用される卓上型の簡易表示具に関し、さらに詳しく言えば、１枚のシート体を切り離して組み立てられる組立式の簡易表示具に関する。
【背景技術】
【０００２】
卓上型の簡易表示具の代表的な例として卓上カレンダーがある。卓上カレンダーは、暦が印刷されたカレンダーシートと、カレンダーシートを立てておくための表示スタンドとを備えている。
【０００３】
今までの表示スタンドはプラスチック製の成型品が主流であったが、近年では低コスト化や環境性を考慮して紙製の組立タイプがよく提供されている。その一例として特許文献１がある。特許文献１には、表示スタンドを構成する１枚の折り畳み台紙の上にカレンダーシートを積層した状態で一体に組み合わせたものが示されている。
【０００４】
しかしながら、上記のような簡易表示具には次のような問題があった。すなわち、この卓上カレンダーは、台紙の上にカレンダーシートが積層されている状態であるため、雑誌やカタログの中に挿入して添付した場合、カレンダーシートの厚さ分嵩張り、邪魔になりやすい。
【０００５】
【特許文献１】特開２００３−１１５４６号公報
【発明の開示】
【発明が解決しようとする課題】
【０００６】
そこで、本発明は上述した課題を解決するためになされたものであって、その目的は、組立前は１枚のシート体で嵩張らず、組立後は立体的な表示スタンドとその表示シートとなる簡易表示具を安価に提供することにある。
【課題を解決するための手段】
【０００７】
上述した目的を達成するため、本発明は以下に示すいくつかの特徴を備えている。まず、請求項１に記載の発明は、切断線に沿って少なくとも２つのシート片に分離可能なシート体を有し、上記一方のシート片には同シート片を立体三角形状の表示スタンドに組み立てるための折り線が設けられており、上記他方のシート片には上記表示スタンドの表示面に沿って保持される少なくとも１枚の表示シートが含まれ、上記表示スタンドには上記表示シートを上記表示面に保持するための保持手段が設けられていることを特徴とする。
【０００８】
請求項２に記載の発明は、上記請求項１において、上記表示スタンドは、被設置面に載置される底板と、上記底板の一端側に第１折り線を介して折り畳み可能に連設された表示板と、上記底板の他端側に第２折り線を介して折り畳み可能に連設された背板とを含み、上記表示板と上記背板とが所定の係止手段により係止されることを特徴とする。
【０００９】
請求項３に記載の発明は、上記請求項２において、上記係止手段は、上記表示板に形成された係止孔と、上記背板の自由端側またはその一部に上記係止孔に対して差し込み可能に形成された係止片とからなることを特徴とする。
【００１０】
請求項４に記載の発明は、上記請求項１，２または３において、上記保持手段は上記係止片からなることを特徴とする。
【００１１】
請求項５に記載の発明は、上記請求項１〜４のいずれか１項において、上記他方のシート片には、複数枚の上記表示シートが切断線に沿って分離可能に設けられていることを特徴とする。
【００１２】
請求項６に記載の発明は、上記請求項５において、上記各表示シートの一部には、上記各表示シート同士が重なり合ったときに上記各シートを判別するためのインデックス部が設けられていることを特徴とする。
【００１３】
請求項７に記載の発明は、上記請求項１ないし６のいずれか１項において、上記表示スタンドの一部には、上記表示スタンドを壁などの被吊下面に対して吊り下げた状態で保持するための吊下孔が設けられていることを特徴としている。
【００１４】
本発明には、上記請求項１ないし７のいずれか１項に記載の簡易表示具を備えた印刷物も含まれる。
【発明の効果】
【００１５】
請求項１に記載の発明によれば、１枚のシート体に表示スタンドと表示シートとを一緒に組み込むことができるため、より安価に製造できるばかりでなく、雑誌やカタログなどに挿入しても嵩張らない。
【００１６】
請求項２に記載の発明によれば、底板を挟んで設けられた表示板と背板を互いに折り畳んで係止することにより、簡単に表示スタンドを組み立てることができる。
【００１７】
請求項３に記載の発明によれば、係止孔に係止片を差し込むだけで簡単に固定することができ、複雑な折り畳み作業を必要としないため、加工も簡単である。
【００１８】
請求項４に記載の発明によれば、係止片の一部を表示板の表示面側に引き出して、そこに表示シートの挿通孔を挿通することで、表示シートを簡単に保持することができる。
【００１９】
請求項５に記載の発明によれば、表示シートを複数枚設けたことにより、カレンダーだけでなく、いろいろな用途の表示要素に用いることができる。
【００２０】
請求項６に記載の発明によれば、インデックス部を設けたことにより、各シートの判別がより簡単にできるばかりでなく、表示要素毎に変化を付けることで、より消費者にインパクトを与えることができる。
【００２１】
請求項７に記載の発明によれば、吊り下げ用の吊下孔を設けたことにより、壁面に吊り下げて使用することもでき、表示形態を設置場所に応じて好きなように変更できる。
【００２２】
請求項８に記載の発明によれば、組立前は１枚の平板状であるため印刷物に挿入しても嵩張らず、容易に組み立てることできる。印刷物としてはシート体単体だけでなく、シート体を有する各種雑誌やカタログなどの印刷物全般が含まれる。
【発明を実施するための最良の形態】
【００２３】
次に、本発明の実施形態について図面を参照しながら説明する。図１は本発明の一実施形態に係る簡易表示具の組立前の状態を示す平面図であり、図２は切断線に沿って各パーツを切り離した状態の平面図である。
【００２４】
この簡易表示具１０は、折り畳まれることで組み立てられる卓上型の表示スタンド２０と、表示スタンド２０の表示面に沿って保持される表示シート３０とを備え、それらが１枚のシート体に切断線Ａに沿って分離可能な状態で含まれている。
【００２５】
本発明において、切断線とは例えばミシン目や薄肉部などシート体の他の部分よりも脆弱処理された部分をいい、切断線に沿ってシート体が容易に切り離し可能な箇所を指す。なお、切断線には単なる印刷によってシート体表面に描かれた切断指示線も含まれる。
【００２６】
簡易表示具１０は１枚の紙製シート体からなることが好ましいが、これ以外に合成樹脂製であってもよい。また、簡易表示具１０は、Ａ４規格サイズの大きさのシート体に組み込まれているが、シート体の大きさは、Ｂ４やＡ３など仕様に応じて任意に選択できる。
【００２７】
簡易表示具１０には、雑誌などの製本された印刷物に差し込む際に本の背の部分に沿って綴じられる綴じ込み片４０が設けられている。綴じ込み片４０は、切断線Ｂを介して例えば表示スタンド２０の側面（図１では左側面）に設けられており、切断線Ｂに沿って切り離されることにより、印刷物側に残るようになっている。
【００２８】
なお、この例においては雑誌などの挿入用に綴じ込み片４０を設けているが、例えば単体で使用したり、パンフレット中に挟んで配布する様な場合においては、綴じ込み片４０を設ける必要は特に無い。
【００２９】
図２に示すように、表示スタンド２０は、テーブルなどの被設置面に載置される底板２１を有し、底板２１の一端側（図２では上端）には、折り線（第１折り線）Ｌ１を介して表示板２２が折り畳み可能に連接されており、また底板２１の他端側（図２では下端）には、折り線（第２折り線）Ｌ２を介して背板２３が折り畳み可能に連接されている。
【００３０】
表示スタンド２０の底板２１，表示板２２および背板２３の一部または全部には、例えば会社名やキャラクターの他、写真やイラストなどの広告要素が印刷されていてよい、広告要素は表示スタンド２０の表裏面に印刷することもできる。
【００３１】
底板２１の中央には、幅方向に沿って折り線Ｌ３が設けられており、この折り線Ｌ３に沿って底板２１を山折りすることにより、底板２１の底面の折り線Ｌ１，Ｌ２に沿った部分が設置されるため、安定性が増す。
【００３２】
表示板２２は、折り線Ｌ１に沿って底板２１側に折り畳み可能とされており、自由端側の中央（図２では上端側）には、背板２３に設けられた係止片２５を挿通するための係止孔２４が設けられている。
【００３３】
係止孔２４は、図２に示すように、表示板２２の幅方向に沿って平行に形成されたスリット孔からなり、ここに係止片２５が差し込まれることにより、表示板２２と背板２３とが立体三角形状に保持される。
【００３４】
この例において、表示板２２は底板２１と同じ幅長さを有する矩形状に形成されているが、その幅や形状については特に制限はなく、表示シート３０を保持可能な表示面を備えていれば、その形態は任意である。
【００３５】
背板２３は折り線Ｌ２に沿って底板側に折り畳み可能とされており、自由端側（図２では下端側）の中央には係止孔２４に差し込まれる係止片２５が設けられている。図４に示すように、係止片２５は係止孔２４に差し込んだ際に、表示板２１の表示面側に引き出されるに十分な長さを備えていることが好ましい。これによれば、表示板２１の表示面側に係止片２５が突出することにより、この突出部分を利用して、表示シート３０を表示板２１に吊り下げることができる。
【００３６】
この例において、係止片２５は背板２３の自由端側に設けられているが、背板２３の一部に切り起こし可能な状態として設けられていてもよい。また、係止片２５を別に形成しておいて背板２３に接着するなどして取り付けてもよい。
【００３７】
この例において、表示シート３０は３枚の表示シートメンバー３１〜３３が含まれており、それらが切断線Ｃ、Ｄにより分離可能である。各表示シートメンバー３１〜３３には、表示要素として、この例ではカレンダーが両面に印刷されている。この例において、表示シートメンバー３１〜３３は３枚であるが、１枚であってもよいし、３枚以上であってもよい。
【００３８】
各表示シートメンバー３１〜３３のうち、表示シートメンバー３３は、インデックス部２５を形成するため他の表示シートメンバー３１，３２に対して逆向きに形成されているが、シート体のレイアウトに余裕があれば向きは任意である。
【００３９】
各表示シートメンバー３１〜３３に印刷される表示用としては、カレンダー以外に例えば旅行日程表や各種時刻表、旅行ガイドなどのほか、写真やイラストなどが印刷されていても良く、この簡易表示具１０が添付される印刷物の種類によって任意に変更可能である。
【００４０】
各表示シートメンバー３１〜３３には、上述した係止片２４に差し込まれる保持孔３４が設けられており、端部には各表示シートメンバー３１〜３３を判別しやすくするためのインデックス部３５が設けられている。
【００４１】
保持孔３４は、表示シートメンバー３１〜３３の幅方向に沿って形成された矩形スリット孔からなり、係止片２５の幅よりも大きな開口幅を備えている。これによれば、図４に示すように、係止片２５に保持孔３４を挿通することで、表示シートメンバー３１〜３３を吊下保持することができる。
【００４２】
上記の例において、挿通孔３４は矩形スリット状に形成されているが、これ以外に図５（ａ）に示すようにスリット溝状の挿通孔３４ａとしてもよいし、図５（ｂ）および（ｃ）に示すように挿通孔３４ｂ、３４ｃの一部に係止片２５を挟むための舌片３４ｄを設けてもよく、これによれば、表示シートメンバー３１〜３３の抜け落ちを舌片３４ｄによって防止することができる。
【００４３】
インデックス部３５は、表示シートメンバー３２，３３の下端側に設けられており、互いに重なり合ったときに、各表示シートメンバー３２，３３の判別がしやすい。これらインデックス部３５は、表示シートメンバー３２，３３を連結する切断線Ｄを図１に示すような形状とすることで切り離すだけで、簡単に形成することができる。
【００４４】
図６に表示シートの変形例を示す。この表示シート３０Ａは、上記のものと同じく３枚の表示シートメンバー３１〜３３を備え、各表示シートメンバー３１〜３３の中央には、飾り窓３５ａ〜３５ｃが設けられている。
【００４５】
飾り窓３５ａ〜３５ｃは大きさの異なる孔からなり、この例において、飾り窓３５ａは星形、飾り窓３５ｂは五角形、飾り窓３５ｃは丸形にくり抜かれている。
【００４６】
これによれば、表示板２２または別の表示シート（図示しない）の上に、各表示シートメンバー３１〜３３を飾り窓３５ａ〜３５ｃの開口面積の大きい順に重ね合わせることにより、表示板２２に記載された模様や絵柄の一部が各表示シートメンバー３１〜３３を捲るとその飾り窓３５ａ〜３５ｃから徐々に大きく見え、表示方法により趣向性を出すことができる。
【００４７】
次に、図３および図７を参照しながら、この簡易表示具１０の組立手順の一例を説明する。なお、簡易表示具１０は図７に示すように印刷物としての雑誌１の一部にシート状態で一体的に綴じ込まれている。
【００４８】
まず、簡易表示具１０を切断線Ｂに沿って切り取った後、切断線Ａに沿って表示スタンド２０と表示シート３０とを分離する。さらに、表示シート３を切断線Ｃ，Ｄに沿って切断することで、３枚の表示シートメンバー３１〜３３が形成される。
【００４９】
図３（ａ）に示すように、表示スタンド２０を組み立てるにあたっては、底板２１を水平面に置くなどして固定しておき、折り線Ｌ１を中心に表示板２２を底板２１側に折り畳む。同様にして折り線Ｌ２を中心に背板２３を底板２１側に折り畳んでおく。
【００５０】
次に、底板２１側に癖付けされた状態の背板２３の係止片２５を表示板２２の係止孔２４の裏側から差し込み、図３（ｂ）に示すように係止片２５の一部が表示板２２の表示面側に突出させる。
【００５１】
最後に底板２１を折り線Ｌ３に沿って山折りすることで、図３（ｃ）に示すような表示スタンド２０が完成する。この状態において、図４に示すように、係止片２５に各表示シートメンバー３１〜３３の保持孔３４を差し込むことで、表示シートメンバー３１〜３３が表示板２２に吊り下げた状態で保持される。あとは使用者の好みに応じて、表示シートメンバー３１〜３３を自由に付け替えて使用すればよいだけである。
【００５２】
ところで、この例ではＡ４版のシート体に簡易表示具１０を組み込んでいるが、場合によってはより大判のシート体に本発明の簡易表示具を組み込むこともできる。図８にその一例を示す。
【００５３】
この簡易表示具１０Ａは、Ａ３版のシート体に組み込まれており、シート体の中心には、雑誌などに固定される綴じ込み片４０が設けられており、綴じ込み片４０の左側に切断線Ｅを介して表示スタンド２０Ａが、綴じ込み片４０の右側に切断線Ｆを挟んで表示シート３０Ａがそれぞれ連結されている。
【００５４】
綴じ込み片４０の中心には、縦方向に沿って折り線Ｌ１０が設けられており、この折り線Ｌ１０に沿って全体が半分に折り畳み可能となっている。
【００５５】
表示スタンド２０Ａは、上述した図１に示した表示スタンド２０と基本的に同じ構成であるが、全体の幅が図１よりも幅広に形成されている。表示スタンド２０の幅広化したことに伴い、背板２３には２つの係止片２５，２５が設けられ、表示板２２，２２にも２箇所の係止孔２４，２４が設けられている。なお、組立方法は全く同一である。
【００５６】
表示シート３０Ａは、シートの拡大化に伴い全部で５枚の表示シートメンバー３１Ａ〜３１Ｅが切断線に沿ってＧ〜Ｉに沿って分離可能に設けられている。各表示シートメンバー３１Ａ〜３１Ｅのうち、参照符号３１Ａ〜３１Ｄの表示シートメンバーは正方形状に形成され、参照符号３１Ｅの表示シートメンバーは横長の矩形状に形成されている。
【００５７】
各表示シートメンバー３１Ａ〜３１Ｅには、保持孔３４が設けられているが、横長の表示シートメンバー３１Ｅのみ２箇所の保持孔３４，３４が設けられている。これによれば、大きな表示スタンド２０Ａに対して様々な組み合わせの表示シートメンバー３１Ａ〜３１Ｅを組み込むことができ、さらにバリエーションに富んだ簡易表示具を提供できる。
【００５８】
さらに別の態様として、図９に示すように、この簡易表示具１０Ｂは表示スタンド２０Ｂに表示スタンド２０Ｂを壁などの被吊下面に対して吊り下げた状態で保持するための吊下孔２６が設けられている。
【００５９】
この例において、吊下孔２６は表示板２２の上端側に設けられているが、自由端側に設けられていてもよく、簡易表示具１０Ｂを吊り下げて保持することができればよい。
【００６０】
底板２１は上記の例と同様に折り線Ｌ３に沿って折り畳まれるが、この例では下側に突出するように折り畳まれる。これによれば、表示板２２が壁面に対してフラットになるため、表示シート３０が傾きすぎずに見やすい。
【００６１】
上述した実施形態において、表示スタンド２０は係止片２５を表示シート３０の保持手段としているが、表示スタンド２０に対して表示シート３０を保持しておくことができれば、保持手段は任意である。これら保持手段の各種変形例も本発明に含まれる。
【産業上の利用可能性】
【００６２】
本発明の簡易表示具は、１枚のシート状で提供することができ、例えば雑誌やカタログなどに差し込んで使用してもよいし、ＣＤなどの各種媒体に付録として添付してもよい。さらには、新聞などの折り込みとして単体での配布で配布してもよい。
【図面の簡単な説明】
【００６３】
【図１】本発明の一実施形態に係る簡易表示具の正面図。
【図２】上記実施形態の簡易表示具を切断線に沿って切断した状態の正面図。
【図３】上記実施形態の簡易表示具の組立手順を説明する説明図。
【図４】上記実施形態の簡易表示具の組立完成図。
【図５】保持孔の各種変形例を示す平面図。
【図６】表示シートに飾り窓を設けた場合の正面図。
【図７】組立前の簡易表示具を印刷物に差し込んだ状態を示す斜視図。
【図８】簡易表示具の変形例を示す正面図。
【図９】簡易表示具の別の変形例を示す斜視図。
【符号の説明】
【００６４】
１０  簡易表示具
２０  表示スタンド
２１  底板
２２  表示板
２３  背板
２４  係止孔
２５  係止片
３０  表示シート
３１〜３３  表示シートメンバー
３４  保持孔
３５  インデックス部
Ａ〜Ｉ  切断線
【図１】
2006003478.tif 000003
【図２】
2006003478.tif 000004
【図３】
2006003478.tif 000005
【図４】
2006003478.tif 000006
【図５】
2006003478.tif 000007
【図６】
2006003478.tif 000008
【図７】
2006003478.tif 000009
【図８】
2006003478.tif 000010
【図９】
2006003478.tif 000011